(57)【要約】    【課題】  眼鏡に取付けて用いるタイプの小型の画像表示装置を、どのような構造の眼鏡にでも取付けられるように改良する。    【解決手段】  画像表示装置３は、液晶ディスプレイ、拡大レンズが内蔵されており、使用者はそのディスプレイからの像光を拡大レンズを介して見ることによって、画像を見ることができる。画像表示装置３は、その背面に吸盤１６０を備えており、この吸盤１６０によって眼鏡が備える眼鏡レンズの平滑な前面に取付けられるようになっている。【選択図】    図２１（Ａ）
2006054618.tif 000002
【特許請求の範囲】
【請求項１】
使用時に使用者の身につけた眼鏡のレンズである眼鏡レンズに取付けて用いられる画像表示装置であって、
前記眼鏡レンズの平滑な面に対して固定を行うことのできる中間部材と、
当該画像表示装置の使用時に使用者の一方の目の前に位置するものであり、所定の画像の像光を前記一方の目に導くことによって、当該一方の目の視野の一部である表示範囲に存在するような状態で当該一方の目で前記画像を見られるようにする表示手段、及び前記中間部材に対して人間着脱自在な固定を行うことのできる固定手段、を備えている画像表示装置本体と、
を有してなる、画像表示装置。
【請求項２】
前記中間部材は、前記眼鏡レンズを貫通した状態で前記眼鏡レンズに固定される棒状部材を備えている、
請求項１記載の画像表示装置。
【請求項３】
前記中間部材は、前記眼鏡レンズに対して着脱自在に固定を行うことのできるものとされてなる、
請求項１記載の画像表示装置。
【請求項４】
前記中間部材は、前記眼鏡レンズに対して着脱自在とされた吸盤又は粘着剤層を備えており、前記吸盤又は前記粘着剤層により、前記眼鏡レンズに対して着脱自在に固定されるようになっている、
請求項３記載の画像表示装置。
【請求項５】
前記中間部材は、それが前記眼鏡レンズに固定されたときに前記眼鏡レンズの前方に突出するものであり、その先端に略球状の球部を有する棒状の突出体を有しており、
且つ前記固定手段は、開口を持ち、その開口からその内部に前記球部を挿入することのできる空間を備えており、且つ前記空間に前記球部が入ったときに、前記球部が前記空間に対して固定されるようになっている、
請求項１記載の画像表示装置。
【請求項６】
前記中間部材は、それが前記眼鏡レンズに固定された場合の前方に向かって開いた開口を持っている空間を備える固定部材を有しており、
且つ前記固定手段は、棒状体の先端に略球状とされるとともに、前記空間に挿入することのできる球部を有する突出体を持っており、且つ前記空間に前記球部が入ったときに、前記球部が前記空間に対して固定されるようになっている、
請求項１記載の画像表示装置。
【請求項７】
前記中間部材は、それが前記眼鏡レンズに固定された場合の前方に向かって突出する、所定の球面の一部をなす凸曲面を有する凸部を有しており、
且つ前記固定手段には、前記凸曲面に対応する曲面である凹曲面を有する凹部が設けられているとともに、
前記凸部と前記凹部とは磁力によって吸着して固定し合うようになっている、
請求項１記載の画像表示装置。
【請求項８】
前記中間部材は、それが前記眼鏡レンズに固定された場合の前方に向かって開いた凹曲面を有する凹部を有しており、
且つ前記固定手段には、前記凹曲面に対応する曲面であり、所定の球面の一部をなす凸曲面を有する凸部が設けられているとともに、
前記凸部と前記凹部とは磁力によって吸着して固定し合うようになっている、
請求項１記載の画像表示装置。
【請求項９】
前記中間部材は、それが前記眼鏡レンズに固定された場合に、前記眼鏡レンズから前方に向かって突出するものであり、且つ互いに所定の間隔を空けて配置された少なくとも３つの突出片を有しており、
且つ前記固定手段には、前記突出片に当接する凸曲面を有する凸部が設けられているとともに、
前記凸部と前記突出片とは磁力によって吸着して固定し合うようになっている、
請求項１記載の画像表示装置。
【請求項１０】
前記固定手段は、前記中間部材に固定された状態で、前記画像表示装置を上下方向、左右方向の少なくとも一方向に揺動させられるようになっている、
請求項１〜９のいずれかに記載の画像表示装置。
【請求項１１】
使用時に使用者の身につけた眼鏡のレンズである眼鏡レンズの平滑な面に取付けて用いられる画像表示装置であって、
当該画像表示装置の使用時に使用者の一方の目の前に位置するものであり、所定の画像の像光を前記一方の目に導くことによって、当該一方の目の視野の一部である表示範囲に存在するような状態で当該一方の目で前記画像を見られるようにする表示手段、及び前記眼鏡レンズに対して着脱自在な固定を行うことのできるレンズ固定手段、を備えている画像表示装置。
【請求項１２】
前記レンズ固定手段は、前記眼鏡レンズに対して着脱自在とされた吸盤又は粘着剤層を備えており、前記吸盤又は前記粘着剤層により、前記眼鏡レンズに対して着脱自在に固定されるようになっている、
請求項１１記載の画像表示装置。
【請求項１３】
前記表示手段を内蔵するケースと、前記表示手段からの像光を使用者の目へ導くレンズを収納した前記ケースから凸設された鏡筒とを備えているとともに、
前記レンズ固定手段は、前記鏡筒に設けられている、
請求項１１記載の画像表示装置。
【請求項１４】
前記レンズ固定手段は、その内側部分に前記鏡筒の外周に当接する孔が開けられており、前記鏡筒をその孔に挿入した状態で前記鏡筒の外周面に取付けられている吸盤とされてなる、
請求項１３記載の画像表示装置。
【請求項１５】
前記レンズ固定手段は、その内側部分に前記像光を通過させるための透明な部分を有し、且つその透明な部分を前記鏡筒の先端に臨ませた状態で前記鏡筒の先端に取付けられている吸盤とされてなる、
請求項１３記載の画像表示装置。
【請求項１６】
前記レンズ固定手段は、前記鏡筒の先端に配された粘着剤とされてなる、
請求項１１記載の画像表示装置。
【請求項１７】
前記レンズ固定手段は、前記眼鏡レンズに固定された状態で、前記画像表示装置を上下方向、左右方向の少なくとも一方向に揺動させられるようになっている、
請求項１１〜１６のいずれかに記載の画像表示装置。
【発明の詳細な説明】
【技術分野】
【０００１】
本発明は、頭部などの身体に装着して使用可能な、小型の画像表示装置に関する。
【背景技術】
【０００２】
頭部などの身体に装着して使用され、使用者の眼前に画像を表示するヘッドマウントディスプレイ（ＨＭＤ）が、バーチャルリアリティをはじめ種々の分野で利用されている。ＨＭＤは、通常、外光を遮断して画像のみを表示するようなものとされ、一般的にはゴーグル形状、あるいは大型の眼鏡のフレーム形状に形成される。ＨＭＤを使用すると、使用者はどの方向を向いていても画像を見ることができる反面、外界を見ることはできなくなる。
【０００３】
近年、画像を視界の一部に表示し、外界も、画像も見られるようにした小型の画像表示装置が提案されている。
このタイプの画像表示装置は、例えば、特開平７−２０９６００号公報に開示されている。この画像表示装置は、液晶表示装置（ＬＣＤ）、反射ミラー、接眼レンズ等を１つの筐体に収容するとともに、その筐体にクリップを取付けてなり、クリップで眼鏡やサングラスのフレームに装着するように構成されている。筐体は眼鏡のフレームの上部外側寄りに取付けられるようになっており、ＬＣＤに表示された画像を、反射ミラーと接眼レンズ、さらに眼鏡のレンズを介して、使用者の一方の眼に斜め上方から与えるようにされている。
【０００４】
このタイプの画像表示装置は、視線の移動により、外界を見るか、画像を見るかの選択を行えるので、日常生活の場面で使用でき、使用の場面として室内外を特に問わない点で価値が高い。
それゆえ、このような画像表示装置であれば、音を再生するものであり、若者のライフスタイルを大きく変えた携帯型ヘッドフォンステレオの映像版といった用途に応用可能かもしれない。
【０００５】
ところで、このタイプの画像表示装置は既存の眼鏡に取付けることを意図しているが、画像表示装置を眼鏡に取付けることは難しい。眼鏡には、フレームの有無や、フレームの材質や太さ、或いはテンプルの材質や太さの違いなど、様々なバリエーションがあるため、どのような眼鏡にでも画像表示装置を取付けられるようにすることは意外にも非常に難しい。
他方、眼鏡を画像表示装置との組合わせを当初から意図した専用品にしてしまえばこのような難点は解決されるが、それでは眼鏡というファッション性の強いものを顧客に強制することになり、画像表示装置を使用することを顧客が嫌がる原因にもなりかねない。
【発明の開示】
【発明が解決しようとする課題】
【０００６】
本発明は、かかる課題を解消するものであり、画像表示装置を、どのような眼鏡にでも簡単に取付けられるようにするための技術を提供せんとするものである。
【課題を解決するための手段】
【０００７】
かかる課題を解決するため、本願発明者は、以下の発明を提案する。本願発明では、画像表示装置は眼鏡が備える眼鏡レンズの平滑な面に取付けられるようになっている。これは、本願発明者が得た以下のような知見に基づくものである。
上述したように、眼鏡には、様々なバリエーションがある。したがって、画像表示装置をどのような眼鏡にでも取付けられるようにするのは難しい。しかしながら、試行錯誤の結果、本願発明者は、どのような眼鏡にでも共通する部材があることに気が付いた。それは、眼鏡レンズの平滑な面である。その面に画像表示装置を固定できるようにすることで、本願の画像表示装置は、どのような眼鏡にでも取付けられるようなものとなる。
なお、本願でいう「眼鏡レンズ」の語には、度入りの一般的なレンズのみならず、度なしのレンズでないものも含む。本願の画像表示装置は、度なしの眼鏡レンズを備えた伊達眼鏡にも取付けることができるものである。
以下、本願発明の詳細について説明を行う。本願発明は、２つに大別できる。
【０００８】
本願発明の一つ目は、以下のようなものである。
本願発明は、使用時に使用者の身につけた眼鏡のレンズである眼鏡レンズに取付けて用いられる画像表示装置である。そして、この画像表示装置は、前記眼鏡レンズの平滑な面に対して固定を行うことのできる中間部材と、当該画像表示装置の使用時に使用者の一方の目の前に位置するものであり、所定の画像の像光を前記一方の目に導くことによって、当該一方の目の視野の一部である表示範囲に存在するような状態で当該一方の目で前記画像を見られるようにする表示手段、及び前記中間部材に対して着脱自在な固定を行うことのできる固定手段、を備えている画像表示装置本体と、を有してなる。
この画像表示装置は、眼鏡レンズの平滑な面に固定される中間部材を介して眼鏡レンズの平滑な面に対して取付けられるようになっている。
画像表示装置は、眼鏡レンズの平滑な面のどちら側に取付けられるようになっていても構わないが、眼鏡レンズと顔との間にそれほど空間がないことを考慮すれば、眼鏡レンズの顔と反対側の面に取付けられるようにする方が容易である。なお、この事情は、後述する本願発明の二つ目でも同様である。
【０００９】
本願発明における中間部材の眼鏡レンズに対する固定の具体的な態様は、中間部材を眼鏡レンズの平滑な面に固定できる限りどのようなものであってもよい。
本願発明における中間部材は、前記眼鏡レンズに対して完全に固定されるようなものでもよいし、着脱自在に固定を行えるようなものとされてもよい。眼鏡に対して中間部材を着脱自在にすれば、画像表示装置を使用しないときには眼鏡から中間部材を除去できるようになる。
もっとも、眼鏡に対して中間部材を着脱自在にすると、画像表示装置を使用する際に眼鏡に対して中間部材を取付ける作業、及び中間部材に画像表示装置本体を取付ける作業の２つの作業が、その先後はともかく必要になる。中間部材が眼鏡レンズに対して完全に固定されていれば、中間部材に画像表示装置本体を取付ける作業のみを行えば眼鏡に対する画像表示装置の固定を行えるので、そのような疎ましさがない。
【００１０】
本願発明における中間部材は、前記眼鏡レンズを貫通した状態で前記眼鏡レンズに固定される棒状部材を備えていてもよい。この場合、中間部材は、棒状部材により眼鏡レンズに固定されることになる。このようにされた中間部材は、眼鏡レンズに対して着脱を行いづらいものとなるが、眼鏡レンズに対する強固な固定を行えるようなものとなる。この構成は、中間部材が眼鏡レンズに完全に固定される場合の一例となる。
【００１１】
本願発明における中間部材は、前記眼鏡レンズに対して着脱自在とされた吸盤又は粘着剤層を備えており、前記吸盤又は前記粘着剤層により、前記眼鏡レンズに対して着脱自在に固定されるようになっていてもよい。この構成は、中間部材が眼鏡レンズに着脱自在に固定される場合の例となる。
【００１２】
中間部材と画像表示装置本体との固定の具体的な態様は、中間部材と画像表示装置本体との着脱自在な固定が可能である限り不問である。
例えば、本願発明の中間部材は、それが前記眼鏡レンズに固定されたときに前記眼鏡レンズの前方に突出するものであり、その先端に略球状の球部を有する棒状の突出体を有しており、且つ前記固定手段は、開口を持ち、その開口からその内部に前記球部を挿入することのできる空間を備えており、且つ前記空間に前記球部が入ったときに、前記球部が前記空間に対して固定されるようになっていてもよい。
或いは、前記中間部材は、それが前記眼鏡レンズに固定された場合の前方に向かって開いた開口を持っている空間を備える固定部材を有しており、且つ前記固定手段は、棒状体の先端に略球状とされるとともに、前記空間に挿入することのできる球部を有する突出体を持っており、且つ前記空間に前記球部が入ったときに、前記球部が前記空間に対して固定されるようになっていてもよい。
或いは、前記中間部材は、それが前記眼鏡レンズに固定された場合の前方に向かって突出する、所定の球面の一部をなす凸曲面を有する凸部を有しており、且つ前記固定手段には、前記凸曲面に対応する曲面である凹曲面を有する凹部が設けられているとともに、前記凸部と前記凹部とは磁力によって吸着して固定し合うようになっていてもよい。
或いは、前記中間部材は、それが前記眼鏡レンズに固定された場合の前方に向かって開いた凹曲面を有する凹部を有しており、且つ前記固定手段には、前記凹曲面に対応する曲面であり、所定の球面の一部をなす凸曲面を有する凸部が設けられているとともに、前記凸部と前記凹部とは磁力によって吸着して固定し合うようになっていてもよい。
前記中間部材は、また、それが前記眼鏡レンズに固定された場合に、前記眼鏡レンズから前方に向かって突出するものであり、且つ互いに所定の間隔を空けて配置された少なくとも３つの突出片を有しており、且つ前記固定手段には、前記突出片に当接する凸曲面を有する凸部が設けられているとともに、前記凸部と前記突出片部とは磁力によって吸着して固定し合うようになっていてもよい。この場合、凸部は、各突出片の内側に内接するようにして、凸部に吸着する。凸部はそれが可能となるような位置関係で眼鏡レンズに配される。
【００１３】
中間部材は、眼鏡レンズと画像表示装置本体との双方と固定される。したがって、中間部材は、中間部材と眼鏡レンズを固定するための構成と、中間部材と画像表示装置本体とを固定するための構成を持つ。中間部材と眼鏡レンズを固定するための上述の構成と、中間部材と画像表示装置本体とを固定するための上述の構成は、１つの中間部材でどのように組み合わされていてもよい。
【００１４】
本願発明の画像表示装置本体における前記固定手段は、前記中間部材に固定された状態で、前記画像表示装置を上下方向、左右方向の少なくとも一方向に揺動させられるようになっていてもよい。
このようにすれば、画像表示装置本体を眼鏡レンズに固定した後に、使用者が画像表示装置本体に表示される画像を見易くするために、画像表示装置本体の角度を調整できるようになる。
【００１５】
本願発明の二つ目は、以下のようなものである。
本願発明の二つ目は、使用時に使用者の身につけた眼鏡のレンズである眼鏡レンズの平滑な面に取付けて用いられる画像表示装置である。この画像表示装置は、当該画像表示装置の使用時に使用者の一方の目の前に位置するものであり、所定の画像の像光を前記一方の目に導くことによって、当該一方の目の視野の一部である表示範囲に存在するような状態で当該一方の目で前記画像を見られるようにする表示手段、及び前記眼鏡レンズに対して着脱自在な固定を行うことのできるレンズ固定手段、を備えている。
この画像表示装置は、本願発明の一つ目と異なり中間部材を備えておらず、直接眼鏡レンズの平滑な面に取付けられる。
【００１６】
この場合におけるレンズ固定手段は、眼鏡レンズの平滑な面に対して固定を行えるようなものであればどのように構成されていても構わない。例えば、前記眼鏡レンズに対して着脱自在とされた吸盤又は粘着剤層を備えており、前記吸盤又は前記粘着剤層により、前記眼鏡レンズに対して着脱自在に固定されるようになっていてもよい。
レンズ固定手段は、眼鏡レンズに固定された状態で、前記画像表示装置本体を上下方向、左右方向の少なくとも一方向に揺動させられるようになっていてもよい。
このようにすれば、画像表示装置本体を眼鏡レンズに固定した後に、使用者が画像表示装置本体に表示される画像を見易くするために、画像表示装置本体の角度を調整できるようになる。
また、本願発明の二つ目による画像表示装置の画像表示装置本体は、前記表示手段を内蔵するケースと、前記表示手段からの像光を使用者の目へ導くレンズを収納した前記ケースから凸設された鏡筒とを備えている場合がある。この場合、前記レンズ固定手段は、前記鏡筒に設けられていてもよい。或いは、前記レンズ固定手段は、その内側部分に前記鏡筒の外周に当接する孔が開けられており、前記鏡筒をその孔に挿入した状態で前記鏡筒の外周面に取付けられている吸盤とされていてもよい。或いは、前記レンズ固定手段は、その内側部分に前記像光を通過させるための透明な部分を有し、且つその透明な部分を前記鏡筒の先端に臨ませた状態で前記鏡筒の先端に取付けられている吸盤とされていてもよい。或いは、前記レンズ固定手段は、前記鏡筒の先端に配された粘着剤とされていてもよい。
【００１７】
なお、以上説明した本願発明の一つ目における画像表示装置本体は、片目用の一つだけでもよいし、両目用の二つであってもよい。同様に、本願発明の二つ目における画像表示装置も、一つで用いるようになっていても二つで用いるようになっていてもてもよい。
画像表示装置本体或いは、画像表示装置が一つである場合、画像表示装置本体或いは画像表示装置は使用者の一方の目に対応する眼鏡レンズに取付けられる。このような場合、眼鏡の他方の目に対応する眼鏡レンズに、前記画像表示装置本体又は前記画像表示装置の使用時に使用者の他方の目の前に位置するものであり、当該他方の目の視野のうち、前記表示範囲に略対応する範囲、又は当該範囲を含むより広い範囲である遮蔽範囲から前記他方の目に入って来る光を、前記一方の目に前記表示範囲から入ってくる光よりも弱くする遮蔽手段を設けてもよい。
遮蔽手段は、以下のような視野闘争の問題を解消するのに役立つものである。
画像表示装置本体或いは、画像表示装置が１つの画像表示装置では、片目でディスプレイを見ているときに、他方の目には周囲の景色が見える場合がある。このような場合に、視野闘争の問題が生じるのである。
視野闘争とは、右目、左目から入った情報のうち、どちらか一方だけが、意識にのぼるという現象をいう。右目と左目から入った情報は通常、多少の異なる点（例えば、両目の視差）はあるものの多くの共通点を持っている。このような場合、脳は、２つの情報から１つの情報を作り上げ、これを見えている「内容」として認識する。これに対して、右目と左目のそれぞれに、共通点の少ない、相互に大きく異なる情報を入れた場合、脳は、それらの情報を上手く処理できなくなる。この場合、脳は、どちらかからの情報を優先させ、そちらの情報だけを見ている内容として認識するように処理を行うことがある。このとき、脳が優先させた情報に基づく画像ないし景色は見えていると認識されるけれども、脳が優先させなかった情報に基づく画像ないし景色は見えているとは認識されない。
画像表示装置本体或いは、画像表示装置が１つの上述の如き画像表示装置では、このような視野闘争が顕著に起きる。視野闘争が起きると、ディスプレイが見えていると認識される状況と、景色が見えていると認識される状況が交互に起こることになる。ディスプレイが見えない状況が頻発するのでは、画像表示装置として役に立たないし、またディスプレイがかろうじて見えているとしても、視野闘争が頻発するのであれば、使用者に大きな疲れを与える。
上述の如き遮蔽手段があれば、その遮蔽手段が直前に置かれた側の目の視界をその遮蔽手段で遮ることで、その目をいわば死んだ状態とすることができるので、脳は表示手段により画像を見ている側の目からの情報のみを見えているものとして認識することになる。これにより、上述の視野闘争の問題を解決できるのである。
上述の遮蔽手段は、前記画像表示装置本体、或いは画像表示装置が使用者の身体に装着された場合の左右方向に移動できるようにして、眼鏡レンズに設けられていてもよい。画像表示装置本体、或いは画像表示装置が移動したとしても画像表示装置本体、或いは画像表示装置の使用時に使用者の他方の目の前に位置するものであり、当該他方の目の視野のうち、前記表示範囲に略対応する範囲、又は当該範囲を含むより広い範囲である遮蔽範囲から前記他方の目に入って来る光を、前記一方の目に前記表示範囲から入ってくる光よりも弱くするに十分な大きさとされているのであれば、遮蔽手段は、左右方向に移動するようになっていなくても構わない。遮蔽手段は、例えば、粘着剤によって眼鏡レンズに着脱自在に取付けできるシート状のもの、上記他方の目の視界を遮るに十分な大きさの不透明な吸盤などによって構成することができる。
【発明を実施するための最良の形態】
【００１８】
以下、本発明の好ましい第１〜第６実施形態を、図面を参照しながら詳細に説明する。
なお、各実施形態の説明では、共通するものには共通の符号を用いることとし、重複する説明は場合により省略するものとする。
【００１９】
≪第１実施形態≫
第１実施形態による画像表示装置１は、本願発明の１つ目に相当するものである。
画像表示装置１は、図１に示したように、眼鏡Ｇの眼鏡レンズＧＬの平滑な面に対して取付けられる画像表示装置本体１００を２つ備えており、これら画像表示装置本体１００のそれぞれを眼鏡レンズＧＬの平滑な面に取付ける中間部材２００を２つ備えている。図１は、第１実施形態による画像表示装置１を上前方（「発明を実施するための最良の形態」の欄において、「前方」という語は、眼鏡を使用者が顔に装着した場合の顔から遠い側を意味するものとする。）から見た状態を示す斜視図である。
なお、画像表示装置１と組み合わされるこの実施形態における眼鏡Ｇは、普通に販売されている既製品である。また、図１に示した眼鏡Ｇは、眼鏡レンズＧＬを囲むフレームを備えているが、その構成の詳細は不問である。眼鏡Ｇは、例えば、このようなフレームを持たないいわゆるフレームレスタイプのものとされていても構わない。また、眼鏡レンズＧＬは、遠視用、近視用、遠近両用などのレンズの機能を有するものであっても構わないが、単なるガラスや樹脂の板であってもよい。つまり、眼鏡Ｇは、眼鏡レンズＧＬを有する限り、伊達眼鏡であっても構わない。
【００２０】
画像表示装置本体１００はともに、画像表示装置１の使用時に使用者の目の一方の前に位置するものであり、それがその前に位置する目へ所定の画像の像光を導くものである。使用者は、左右各目の視野の一部である表示範囲に上述の所定の画像が存在するような状態で、その所定の画像を見られるようになる。
画像表示装置本体１００は、図２の透視図、図３の分解図に示したような構成となっている。
画像表示装置本体１００は、略直方体形状に形成されたケース１１０を備えている。このケース１１０は、これには限られないが樹脂製である。
ケース１１０の後方の面には、鏡筒１２０が設けられている。鏡筒１２０は、略円筒形状とされている。
ケース１１０の後方の面には、また、穴１３０が設けられている。穴１３０の内部には、所定の広さの空間が設けられている。穴１３０の開口部分には、穴１３０の開口を塞ぐようにして板状の弾性片１４０が４枚取付けられている。この弾性片１４０は、弾性を有するものとなっており、その厚さ方向に多少曲折できるようになっている。
【００２１】
画像表示装置本体１００はともに、ケーブルＣと接続されている。このケーブルＣは、後述するように、画像信号を画像表示装置本体１００へと送るものである。ケーブルＣは、眼鏡Ｇが備えるつるに、例えば断面略Ｃ字形状に形成された部材（この部材については、図示を省略する。）でかしめることで固定することができる。この、ケーブルＣは、画像表示装置本体１００の外側面（画像表示装置本体１００を眼鏡Ｇに装着した場合の使用者の顔の側方側の面）に接続されている。
【００２２】
また、ケース１１０の内部には、変換基板１１１、バックライトユニット１１２、液晶ディスプレイ１１３が設けられている。
鏡筒１２０の内部には拡大レンズ１１４が設けられている。
変換基板１１１は、ケーブルＣと接続されており、ケーブルＣを介して外部から送られてくる画像信号を、液晶ディスプレイ１１３に表示できるようなものに変換し、液晶ディスプレイ１１３に画像を表示させるものである。
より詳細には、変換基板１１１は、画像表示装置本体１００の外部からケーブルＣを介して送られてくるビデオ信号やＲＧＢ信号などの画像信号を受信して、この画像信号に基づく画像を液晶ディスプレイ１１３に表示する。もっとも、変換基板１１１は、画像表示装置本体１００の内部に設けられている必要はなく、そのすべて、或いは一部が、画像表示装置本体１００外に設けられていても構わない。また、変換基板１１１は、ケーブルＣを介さずに、画像信号を無線で受信するようになっていてもよい。変換基板１１１は、また、テレビチューナを含んで構成されていてもよい。この場合、変換基板１１１は、一般的なテレビ放送用の電波を受信し、これをデコードすることで、テレビ放送の画像を液晶ディスプレイ１１３に表示する。変換基板１１１が液晶ディスプレイ１１３に表示する画像は、これにとどまらず、ＤＶＤなどの記録媒体に記録されていた画像データに基づいて再生された画像や、パーソナルコンピュータや、ゲーム装置などのコンピュータにより生成された画像データに基づいて再生された画像など、多岐にわたる可能性がある。
バックライトユニット１１２は、液晶ディスプレイ１１３を背後から照明するバックライトと、このバックライトを制御する制御回路とを含んでおり、制御を行いながらバックライトを点灯させるものとなっている。
液晶ディスプレイ１１３は、変換基板１１１の制御下で、動画、或いは静止画である所定の画像を表示するものである。
拡大レンズ１１４は、液晶ディスプレイ１１３に表示された画像の像光を、拡大するものである。なお、拡大レンズ１１４は、１枚である必要はなく、複数枚のレンズから構成されている場合もある。この実施形態の拡大レンズ１１４は、また、鏡筒１２０を回転させることで前後動（光軸に沿う方向での移動）するようになっている。この拡大レンズ１１４の前後動は、液晶ディスプレイ１１３からの像光の結像位置を変化させるためのものである。これにより、使用者の視力の良し悪しによらず、或いは使用者が使っている眼鏡Ｇの眼鏡レンズＧＬの度が使用者の目に合っていないなどの事情があったとしても、使用者の目の網膜に上述の画像をしっかり結像させられるようになる。拡大レンズ１１４を前後動させるための構成はどのようなものでもよいが、例えば、鏡筒１２０を２重の構造とし、それらの内側の物の外面と、外側の物の内面にネジ切りをして螺合させるとともに、鏡筒１２０の外側の物をケース１１０に固定し、且つ鏡筒１２０の内側のものの内面に拡大レンズ１１４を固定することで実現できる。なお、この実施形態では、鏡筒１２０を回転することで拡大レンズ１１４が前後動を行うようになっているが、拡大レンズ１１４の光軸方向への移動は他の手段によって行われるようになっていても構わない。また、拡大レンズ１１４の光軸上の位置が互いに異なっている複数の鏡筒１２０であって、ケース１１０に対して着脱自在なものを用意しておき、使用者の視力などに応じて鏡筒１２０ごと拡大レンズ１１４を交換できるようにしてもよい。
【００２３】
２つの中間部材２００はともに、図４に示したように、板状のベース２１０と、ベース２１０の前面からベース２１０の前方に突出する棒状の突出体２２０とを備えている。ベース２１０は、この実施形態では略５ｍｍ角の正方形とされている。突出体２２０の先端には、球状の球体２２１が設けられている。この球体２２１の直径は、上述した穴１３０の内部にやや遊びを持った状態で挿入可能な大きさとなっている。
ベース２１０の背面には、層状とされた粘着剤によって形成された粘着剤層２２２が設けられている。この粘着剤層２２２は、その表面を眼鏡レンズＧＬの平滑な面に当接させることで、中間部材２００を眼鏡レンズＧＬに固定できるようなものとされる。なお、後述するように、眼鏡レンズＧＬに取付けられた中間部材２００には、画像表示装置本体１００が取付けられる。粘着剤層２２２は、画像表示装置本体１００が取付けられた中間部材２００を眼鏡レンズＧＬに安定して固定できる程度の粘着力を有するものとされる。もっとも、この実施形態では、粘着剤層２２２の眼鏡レンズＧＬへの取付けは着脱自在なものとされる。つまり、粘着剤層２２２は、中間部材２００に大きな衝撃や強い力を加えない限り中間部材２００を眼鏡レンズＧＬに固定できるけれども、強い力を加えれば中間部材２００を眼鏡レンズＧＬから取外せる程度の粘着力を持つものとされる。
【００２４】
この実施形態における画像表示装置１の使用方法を説明する。
画像表示装置１を用いる場合、画像表示装置本体１００を眼鏡Ｇの眼鏡レンズＧＬの平滑な面に取付ける。この実施形態では、眼鏡レンズＧＬの前側の面に、画像表示装置本体１００を取付ける。
眼鏡レンズＧＬの前側の面に画像表示装置本体１００を取付けるには、まず、眼鏡レンズＧＬの前側の面に中間部材２００を取付ける。この取付けは、中間部材２００の粘着剤層２２２を眼鏡レンズＧＬの適当な位置に当接させ、押付けることにより行う。
次いで、眼鏡レンズＧＬに取付けた中間部材２００の突出体２２０先端の球体２２１を、画像表示装置本体１００に設けられた穴１３０の内部に挿入する。具体的には、球体２２１を弾性片１４０の間の隙間に弾性片１４０の弾性力に抗しながら押込むことで、球体２２１を穴１３０の内部に挿入する。穴１３０の内部に球体２２１を挿入した状態を図５に示す。球体２２１は、その先端側が穴１３０の奥に当接し、且つその基端側が弾性片１４０と当接した状態となる。これにより、球体２２１は、穴１３０の内部で穴１３０の内側面との摩擦力により一時的に固定されることになる。これにより、画像表示装置本体１００は、中間部材２００を介して眼鏡レンズＧＬの前側の面に固定されることになる。
以上の作業を、左右両目用の眼鏡レンズＧＬの双方について行う。
なお、両画像表示装置本体１００を眼鏡レンズＧＬのそれぞれに１つずつ取付けたら、ケーブルＣを、その画像表示装置本体１００が取付けられている眼鏡レンズＧＬに近い側の眼鏡Ｇのつるに固定する。
【００２５】
この実施形態の画像表示装置本体１００はともに、眼鏡レンズＧＬの前側の面に取付けた状態で、上下方向、左右方向、或いはその間の斜め方向などの所望の方向に球体２２１を中心に多少揺動させることができる。使用者は、鏡筒１２０が自分の目の瞳の方向を向いていない場合には、言い換えれば、拡大レンズ１１４の光軸が自分の目の瞳と重ならない場合には、画像表示装置本体１００を揺動させて、画像表示装置本体１００の角度を調整することができる。
また、この実施形態の拡大レンズ１１４は、上述したように、鏡筒１２０を回転させることで前後動するようになっている。使用者は、必要に応じて拡大レンズ１１４を前後動させ、画像を見やすい位置に拡大レンズ１１４を移動させることができる。
なお、かかる画像表示装置本体１００の角度の調整と、拡大レンズ１１４の移動は、画像の表示を始めてから行ってもよい。
【００２６】
以上の準備を行った後、画像表示装置本体１００による画像の表示を行う。
具体的には、ケーブルＣに接続された物（例えば、ＤＶＤプレイヤなど）の電源を入れ、必要な操作を行う。これにより、ケーブルＣを介して、画像信号が画像表示装置本体１００に送られてくる。画像信号は、それぞれの画像表示装置本体１００内の変換基板１１１を介して液晶ディスプレイ１１３に送られる。液晶ディスプレイ１１３は、この画像信号に基づいて画像の表示を行う。バックライトユニット１１２に含まれるバックライトからの光である、この画像についての像光は、拡大レンズ１１４を介して使用者のそれぞれの目に送られ、使用者のそれぞれの目に結像する。
【００２７】
このとき、使用者の各目には、図６に示したような状態で画像が見える。
図６におけるＩは画像であり、一般的には暗い空間Ｓの中に、画像Ｉがぽっかり浮かんでいるような状態でそれは見える。画像Ｉが存在するように見える範囲が、本発明の表示範囲に相当する。なお、画像Ｉの周りにある空間Ｓは、拡大レンズ１１４の瞳に対応するものである。また、空間Ｓの周りには、鏡筒１２０の先端がぼんやりと見える。鏡筒１２０の先端がぼんやりとしか見えないのは、これが使用者の目の近点よりも使用者の目寄りにあるからである。また、鏡筒１２０の周囲には、外界Ｏが見える。外界Ｏの周縁は、使用者の目の視野に一致している。この実施形態における表示範囲の大きさは、使用者の画像Ｉを見る側の目の視野の１／３よりもずっと小さくなっている。なお、この表示範囲の画角は、この実施形態では、左右方向で２０°程度である。
この実施形態では、使用者は、表示範囲を見ている状態で、視線を動かすことなく、外界の景色も認識できる。また、使用者は、視線を動かせば、外界の景色をより多く見ることができる。
使用者は、左右両目の視野内の表示範囲にある画像Ｉを左右両目のそれぞれで見ることで、両目で画像Ｉを見ている状態となる。
【００２８】
＜中間部材２００の粘着剤層２２２を変形した場合＞
以下、中間部材２００の粘着剤層２２２を変形した場合における第１実施形態による画像表示装置の例（変形例１〜３）について説明する。
【００２９】
〔変形例１〕
変形例１における画像表示装置は、第１実施形態における画像表示装置１と基本的に同じである。
第１実施形態における中間部材２００のベース２１０の背面には、その表面を眼鏡レンズＧＬの平滑な面に当接させることで、中間部材２００を眼鏡レンズＧＬに固定するための粘着剤層２２２が設けられている。この粘着剤層２２２は、第１実施形態では眼鏡レンズＧＬへの着脱自在な固定を行えるようなものとされていた。
変形例１における画像表示装置における中間部材２００は、図４に示したものと同様であるが、その粘着剤層２２２は、第１実施形態の場合と異なり、眼鏡レンズＧＬへの恒久的な固定を行うようなものとされる。この点が変形例１における画像表示装置の第１実施形態からの変更点である。この場合には、画像表示装置１を使用せずに眼鏡Ｇを普通に使用する場合にも中間部材２００は眼鏡レンズＧＬへと取付けられたままとなる。したがって、普通に眼鏡Ｇが用いられる場合に中間部材２００が使用者の視野を妨げない程度に、中間部材２００は小さくされることが好ましい。例えば、ベース２１０の一辺を３ｍｍ程度にすることが好ましい。
【００３０】
〔変形例２〕
変形例２における画像表示装置は、第１実施形態における画像表示装置１と基本的に同じである。
第１実施形態における中間部材２００のベース２１０の背面には、上述の如き粘着剤層２２２が設けられていた。
変形例２における画像表示装置の中間部材２００は、粘着剤層２２２に代えて、図７に示すような、棒状部材２２３及び固定部材２２４を備えている。この点が変形例２による画像表示装置の第１実施形態からの変更点である。棒状部材２２３及び固定部材２２４は、中間部材２００の眼鏡レンズＧＬへの恒久的な固定を行うものである。
棒状部材２２３は、眼鏡レンズＧＬの所定の位置に開けた孔を貫通させる棒状の部材であり、ベース２１０の背面から垂直に突出されている。棒状部材２２３は、その長さが眼鏡レンズＧＬの厚さよりも１ｍｍ程度長くなるようにされており、その外周面にねじ切りされている。固定部材２２４はその内周面にねじ切りがなされた厚さ１ｍｍ程度のナットであり、眼鏡レンズＧＬを貫通して眼鏡レンズＧＬの背面から突出した棒状部材２２３に対して螺合できるようになっている。
この変形例２における中間部材２００は、眼鏡レンズＧＬに設けられた孔を貫通させた棒状部材２２３に固定部材２２４を螺合させることで、図８に示したようにして眼鏡レンズＧＬに固定される。
なお、棒状部材２２３は、固定部材２２４を用いずに、例えば接着剤を用いて眼鏡レンズＧＬと固定することも可能である。この場合には、棒状部材２２３は、その外周にねじ切りされている必要はない。また、接着剤を用いて眼鏡レンズＧＬと固定される場合における棒状部材２２３は、眼鏡レンズＧＬを必ずしも貫通する必要はない。この場合、棒状部材２２３の長さを眼鏡レンズＧＬの厚さよりも短くし、且つ眼鏡レンズＧＬの前面に棒状部材２２３の径及び長さに対応した穴を設け、その穴に棒状部材２２３を挿入して例えば接着剤にて固定することで、棒状部材２２３を、ひいては中間部材２００を、眼鏡レンズＧＬに固定することも可能である。
また、中間部材２００を棒状部材２２３を備えるものとする場合であれば、中間部材２００をベース２１０抜きで構成することも可能である。この場合、中間部材２００は、例えば、図９に示したように構成する。
【００３１】
〔変形例３〕
変形例３における画像表示装置は、第１実施形態における画像表示装置１と基本的に同じである。
第１実施形態における中間部材２００のベース２１０の背面には、上述の如き粘着剤層２２２が設けられていた。
変形例３における画像表示装置の中間部材２００は、粘着剤層２２２に代えて、図１０に示すような、吸盤２２５を備えている。この点が変形例３による画像表示装置の第１実施形態からの変更点である。吸盤２２５は、中間部材２００の眼鏡レンズＧＬへの着脱自在な固定を行うものである。
吸盤２２５は、この実施形態では、弾性のある材料、例えば樹脂でできている。もっとも吸盤２２５は、弾性のあるゴムによってできていてもよい。吸盤２２５の外側には、棒状の摘み２２５Ａが設けられている。この摘み２２５Ａは、眼鏡レンズＧＬに吸着させた吸盤２２５を眼鏡レンズＧＬから取外すときに用いるものであり、それを使用者が指で摘んで引っ張ることにより、吸盤２２５を眼鏡レンズＧＬから簡単に取外せるものとされている。
【００３２】
＜中間部材２００の突出体２２０を変形した場合＞
以下、中間部材２００の突出体２２０を変形した場合における第１実施形態による画像表示装置の例（変形例４〜６）について説明する。
【００３３】
〔変形例４〕
変形例４における画像表示装置１−４は、図１１に示したようなものであり、第１実施形態における画像表示装置１と基本的に同じである。
第１実施形態における中間部材２００のベース２１０の前面には、上述の如き突出体２２０が設けられていた。
変形例４における画像表示装置１−４の中間部材２００は、突出体２２０に代えて、第１実施形態の画像表示装置本体１００の後方の面に設けられていたと同様の穴２２６を備えている。この穴２２６は、その内部に所定の広さの空間が設けられている。このような空間を取れるようにするため、ベース２１０は厚く形成されている。この穴２２６の開口部分には、また、第１実施形態の画像表示装置本体１００の穴１３０の周りにあった弾性片１４０と同様の弾性片２２７が設けられている。この弾性片２２７は、その厚さ方向に多少曲折できるようになっている。
このような穴２２６を備えた中間部材２００と組みあわせて用いられる画像表示装置本体１００は、その後方の面に、第１実施形態における中間部材２００が備えていた突出体２２０と同様の突出体１５１を備えている。この突出体１５１は棒状であり、その先端に球状の球体１５２が設けられている。この球体は、穴２２６にやや遊びを持った状態で挿入可能な大きさになっている。
変形例４における画像表示装置１−４は、要するに、第１実施形態の画像表示装置における画像表示装置本体１００と中間部材２００の固定を実現するために画像表示装置本体１００に設けられていた穴１３０と、中間部材２００に設けられていた突出体２２０の位置関係を逆転したものである。
この画像表示装置１−４における画像表示装置本体１００は、それが備える突出体１５１の先端の球体１５２を、中間部材２００が備える穴２２６に挿入することで、第１実施形態の場合と同様に、中間部材２００に対して着脱自在に固定される。なお、突出体１５１の球体１５２を穴２２６に挿入することで画像表示装置本体１００と中間部材２００を固定した状態の断面を、図１２に概略的に示す。
【００３４】
〔変形例５〕
変形例５における画像表示装置１−５は、第１実施形態における画像表示装置１と基本的に同じである。
第１実施形態における中間部材２００のベース２１０の前面には、上述の如き突出体２２０が設けられていた。
変形例５における画像表示装置１−５の中間部材２００は、これに代えて、図１３（Ａ）に示した如き土台２２８を備えている。この土台２２８には、凸曲面２２９が設けられている。この凸曲面２２９は、中間部材２００の前方に向かって凸設されている。凸曲面２２９は所定の球面の一部をなすようになっている。
このような土台２２８を備えた中間部材２００と組みあわせて用いられる画像表示装置本体１００は、その後方の面に凹曲面１５３を備えている。この凹曲面１５３は、上述の凸曲面２２９に対応する形状とされている。
凸曲面２２９と凹曲面１５３とは、磁力により互いに吸着し合うようになっている。例えば、凸曲面２２９と凹曲面１５３が設けられている部材をともに磁石により形成する、或いは、一方の部材を磁石により、他方の部材を磁石に吸着する金属によって形成するなどすることで、凸曲面２２９と凹曲面１５３とが磁力により互いに吸着し合うようになる。
この変形例５における画像表示装置１−５は、図１３（Ｂ）に示したように、凸曲面２２９と凹曲面１５３とを吸着させることで、中間部材２００と画像表示装置本体１００との着脱自在な固定をなすことができる。中間部材２００と画像表示装置本体１００を固定した状態で、凸曲面２２９に対して凹曲面１５３を摺動させることで、画像表示装置本体１００の中間部材２００に対する角度を、例えば上下方向や左右方向で変化させられることになる。
【００３５】
〔変形例６〕
変形例６における画像表示装置は、第１実施形態における画像表示装置１と基本的に同じである。
第１実施形態における中間部材２００のベース２１０の前面には、上述の如き突出体２２０が設けられていた。
変形例６における画像表示装置の中間部材２００は、これに代えて、土台２２８を備えている。この土台２２８には、凹曲面２３０が設けられている。この凹曲面２３０は、中間部材２００の前方に開口を向けた凹みである。凹曲面２３０は、後述する凸曲面１５４に対応する形状とされている。
このような土台２２８を備えた中間部材２００と組みあわせて用いられる画像表示装置本体１００は、その後方の面に凸曲面１５４を備えている。この凸曲面１５４は、所定の球面の一部をなすような形状となっている。
凹曲面２３０と凸曲面１５４とは、磁力により互いに吸着し合うようになっている。例えば、凹曲面２３０と凸曲面１５４が設けられている部材をともに磁石により形成する、或いは、一方の部材を磁石により、他方の部材を磁石に吸着する金属によって形成するなどすることで、凹曲面２３０と凸曲面１５４とが磁力により互いに吸着し合うようになる。
要するに、この変形例６は、変形例５における凸曲面２２９と凹曲面１５３の位置関係を逆転させたものである。
この変形例６における画像表示装置は、図１４に示したように、凹曲面２３０と凸曲面１５４とを吸着させることで、中間部材２００と画像表示装置本体１００との着脱自在な固定をなすことができる。中間部材２００と画像表示装置本体１００を固定した状態で、凹曲面２３０に対して凸曲面１５４を摺動させることで、画像表示装置本体１００の中間部材２００に対する角度を、例えば上下方向や左右方向で変化させられることになる。
【００３６】
＜中間部材２００と画像表示装置本体を１つずつにした場合＞
以下、中間部材２００と画像表示装置本体を１つずつにした場合における第１実施形態による画像表示装置の例（変形例７〜８）について説明する。
【００３７】
〔変形例７〕
変形例７における画像表示装置１−７は、第１実施形態における画像表示装置１と基本的に同じである。
異なるのは、以下の点である。
第１実施形態における画像表示装置１は、画像表示装置本体１００と中間部材２００をそれぞれ２つずつ備えており、使用者の左右両目にそれぞれ対応させられた眼鏡Ｇの２つの眼鏡レンズＧＬのそれぞれに、中間部材２００を介して画像表示装置本体１００を取付けることとしていた。
これに対して、変形例７における画像表示装置１−７は、図１５に示したように、中間部材２００及び画像表示装置本体１００を１つずつしか有していない。また、これに加えて、この画像表示装置１−７は、第１実施形態における画像表示装置１が有していなかった遮蔽体３００を有している。なお、遮蔽体３００は必ず必要なものではないがこれがあった方が、使用者は画像を見易くなる。
変形例７における画像表示装置１−７における画像表示装置本体１００及び中間部材２００の構成は、第１実施形態の場合と同様である。もっとも、画像表示装置本体１００及び中間部材２００の構成は、変形例１〜６に開示されたもののように変形することができる。
変形例７における画像表示装置本体１００は、第１実施形態の場合と同様の方法で眼鏡レンズＧＬに固定される。この固定は、使用者の右目又は左目に対応する眼鏡レンズＧＬの一方のみに対してなされることとなる。画像表示装置本体１００は眼鏡Ｇが備える２つの眼鏡レンズＧＬのどちらに取付けられてもよいが、一般的には、使用者が画像表示装置本体１００からの画像を見易い方の目に対応する側の眼鏡レンズＧＬに取付けられる。
画像表示装置本体１００が取付けられない側の眼鏡レンズＧＬには、遮蔽体３００が取付けられる。この遮蔽体３００は、本発明の遮蔽手段に相当する。
遮蔽体３００は、画像表示装置１−７の使用時に、画像表示装置本体１００が取付けられていない側の眼鏡レンズＧＬに取付けて用いられる。遮蔽体３００は、その状態で、それが取付けられた眼鏡レンズＧＬに対応する側の目の視野内における、画像表示装置本体１００がその前に置かれた側の目における表示範囲に対応する範囲、或いはそれを含むより広い範囲（遮蔽範囲）に入ってくる光を、画像表示装置本体１００がその前に置かれた側の目における表示範囲に入ってくる光よりも弱くする機能を有している。
この変形例７における遮蔽体３００は、遮蔽範囲に外部から入ってくる光を遮蔽できるように例えば黒い顔料を含む樹脂によって不透明に形成された柔軟性のあるシール材として構成される。この遮蔽体３００は、その一面の全体に図示せぬ接着剤が塗布されており、この接着剤によって、眼鏡レンズＧＬに対して着脱自在に固定できるようになっている。
このような画像表示装置１−７は、以下のようにして用いる。
この画像表示装置１−７を使用するにあたっては、眼鏡Ｇの眼鏡レンズＧＬの一方に画像表示装置本体１００を、他方に遮蔽体３００を固定するなどの準備を行う。画像表示装置本体１００を眼鏡レンズＧＬに固定する方法及びその後の角度の調整方法については、第１実施形態の場合と特に変更はない。拡大レンズ１１４の位置調整、ケーブルＣの眼鏡Ｇのつるへの固定、画像表示装置本体１００の角度調整などを行うこともできる。眼鏡Ｇに画像表示装置本体１００と遮蔽体３００を固定した状態を図１６に示す。
以上の準備を行った後、画像表示装置本体１００による画像の表示を行う。
具体的には、ケーブルＣに接続された物（例えば、ＤＶＤプレイヤなど）の電源を入れ、必要な操作を行う。画像についての像光は、画像表示装置本体１００に内蔵の拡大レンズ１１４を介して、その画像表示装置本体１００が取付けられた眼鏡レンズＧＬと対応する目に送られ、その目に結像する。他方、遮蔽体３００が取付けられた眼鏡レンズＧＬと対応する側の目には、遮蔽体３００が見える。
【００３８】
このとき、使用者の目のうち、画像表示装置本体１００からの像光が結像する側のものには、図１７（Ａ）に示したような状態で画像が見える。
これは、図６で説明したものと同じである。
他方、使用者の目のうち、遮蔽体３００がその前方に置かれた側のものには、図１７（Ｂ）に示すように、遮蔽体３００がぼんやりと見える。遮蔽体３００がぼんやりとしか見えないのは、この遮蔽体３００の位置が、使用者の遮蔽体３００を見ている目の近点よりも使用者の目に近い位置にあるからである。使用者の遮蔽体３００を見ている目には、主として外界Ｏが見えている。先ほどの遮蔽体３００は、像光が結像している側の目の表示範囲Ｉに対応する範囲Ｉ’を含むようにして使用者の遮蔽体３００を見ている目の視野の中に黒く見えている。これは、遮蔽体３００がある範囲から使用者の遮蔽体３００を見ている目に入ってくる光が、画像Ｉが見えている範囲から像光が結像している目に入ってくる光よりも弱くなっていることを意味する。なお、Ｉ’は説明のために図示されたものであり、実際は使用者の遮蔽体３００を見ている目には見えない。実際は、Ｉ’を含めた部分全体が遮蔽体３００として黒く見えることになる。
この実施形態では、使用者は、遮蔽体３００を見ている状態で、視線を動かすことなく、外界の景色も認識できる。視線を動かせば、もちろんより多くの範囲で外界の景色を見ることができる。
【００３９】
このとき、使用者の像光が結像している目で見た画像Ｉと、使用者の遮蔽体３００を見ている目で見た遮蔽体３００は、脳の中で合成されて、図１７（Ｃ）に示すように、見える。
つまり、黒い遮蔽体３００の上に、画像Ｉが乗っているように見えるのである。この実施形態では、使用者の像光が結像している側の目の視野の中における画像Ｉの表示範囲と、使用者の遮蔽体３００を見ている目の視野の中における表示範囲に対応する範囲とで比較すると、表示範囲から使用者の像光が結像している目が受ける光刺激は、それに対応する範囲から使用者の遮蔽体３００を見ている目が受ける光刺激よりもより多くなる。これにより、視野闘争がほとんど起こらなくなる。
この状態で、使用者は、画像を楽しめる。
なお、使用者は、黒い遮蔽体３００の上に、画像Ｉが乗っているように見えるように、画像Ｉを見ながら、画像表示装置本体１００の位置調整や、遮蔽体３００の位置調整を行うことができる。
【００４０】
〔変形例８〕
変形例８における画像表示装置は、変形例７における画像表示装置１と基本的に同じである。
変形例７の遮蔽体３００に変更を加えたものが、変形例８における画像表示装置となる。
変形例８における遮蔽体３０１は、図１８に示したように吸盤により構成される。この吸盤は、柔軟性のある素材、例えば樹脂やゴムによって形成される。柔軟性のある素材は、この変形例８では不透明なものとされている。
吸盤である遮蔽体３０１は、眼鏡レンズＧＬに対して着脱自在とされる。遮蔽体３０１は、変形例７における遮蔽体３００と同様に、それが取付けられた眼鏡レンズＧＬに対応する側の目の視界を防ぐ。
【００４１】
≪第２実施形態≫
第２実施形態による画像表示装置２は、図１９に示したようなものである。
第２実施形態における画像表示装置２は画像表示装置本体１００を備えている。第２実施形態における画像表示装置本体１００は、上述した第１実施形態の変形例６における画像表示装置本体１００と同一のものである。
第２実施形態における画像表示装置２は、また、中間部材２００を備えている。この実施形態における中間部材２００は、金属、又は磁石によって構成された３本のピン２６０によって構成される。これらピン２６０は、眼鏡レンズＧＬの厚さの３倍程度の長さとされ、眼鏡レンズＧＬを貫通させた状態で眼鏡レンズＧＬに固定される。この実施形態では、２つの眼鏡レンズＧＬの双方に３本ずつピン２６０が固定される。
ピン２６０はすべて、棒状に形成されており、眼鏡レンズＧＬの前方に向かって幾らか、例えば３ｍｍ程度突出するようにして、眼鏡レンズＧＬに固定される。眼鏡レンズＧＬに対するピン２６０の固定方法については制限はない。この実施形態では、眼鏡レンズＧＬを貫通するようにして開けた孔にピン２６０を挿入し、接着剤でピン２６０をその孔の内部に接着固定することで、ピン２６０の眼鏡レンズＧＬへの固定を行っている。このピン２６０は非常に小さく、且つ使用者の目の近点よりも使用者の目に近い位置に存在することになるので、使用者がこのピン２６０のついた眼鏡Ｇを使用したとしても、使用者の視界を妨げることは実質的にない。
両眼鏡レンズＧＬに固定された３本のピン２６０はともに、仮想の円周の所定の三箇所に相当する位置に、この実施形態では正三角形の所定の頂点に対応した位置に固定されている。
【００４２】
この実施形態における画像表示装置２の使用方法について説明する。
この実施形態における画像表示装置２では、上述したような眼鏡レンズＧＬへの中間部材２００（ピン２６０）の固定をまず行っておく。
次いで、中間部材２００のそれぞれに、画像表示装置本体１００を固定する。
画像表示装置本体１００は、その後方の面に、凸曲面１５４を備えている。この凸曲面１５４を３本のピン２６０の間に入れ込むことで、画像表示装置本体１００の中間部材２００に対する固定を行うのである。凸曲面１５４は、３本のピン２６０の内側に、図２０の透視図に示したようにして内接する。ピン２６０と凸曲面１５４とは磁力により吸着するようになっているので、上述のようにしてピン２６０と凸曲面１５４とを当接させることで、凸曲面１５４とピン２６０が一時的に固定される。このようにして画像表示装置本体１００は、中間部材２００に固定されるのである。
なお、かかる画像表示装置１００の中間部材２００に対する固定は、２つの眼鏡レンズＧＬの双方について行う。
この状態で拡大レンズ１１４の位置調整、ケーブルＣの眼鏡Ｇのつるへの固定、画像表示装置本体１００の角度調整などを行う。上述したように、凸曲面１５４は、３本のピン２６０と当接した状態でピン２６０に吸着しているだけである。したがって、凸曲面１５４をピン２６０に対して摺動させることで、画像表示装置本体１００の角度を変化させられる。使用者は、画像を見やすくなるように、画像表示装置本体１００の角度を調整すればよい。
以上の準備を行った後、画像表示装置本体１００による画像の表示を行う。
具体的には、ケーブルＣに接続された物（例えば、ＤＶＤプレイヤなど）の電源を入れ、必要な操作を行う。これにより、使用者は、第１実施形態の場合と同様の画像を見ることができる。
画像を見る必要がなくなったら、中間部材２００から画像表示装置本体１００を取外す。
【００４３】
なお、第２実施形態の画像表示装置２は、中間部材２００及び画像表示装置本体１００をそれぞれ２つずつ備え、２つの眼鏡レンズＧＬのそれぞれに取付けた画像表示装置本体１００によって両目で画像を見るタイプのものであったが、第１実施形態の変形例７及び８で説明したように、片目で画像を見るタイプのものとすることもできる。
その場合、中間部材２００は、画像表示装置本体１００が取付けられることが予定された眼鏡レンズＧＬにのみ取付けられていれば足りる。なお、画像表示装置２を用いる場合、中間部材２００が取付けられていない側の眼鏡レンズＧＬには、第１実施形態の変形例７及び８で説明したような遮蔽体３００、３０１を取付けることができる。
【００４４】
≪第３実施形態≫
第３実施形態による画像表示装置３は、図２１（Ａ）に示したようなものである。この画像表示装置３は、第１実施形態の画像表示装置１とかなりの部分でその構成を同一にするが、中間部材２００を備えない。
【００４５】
画像表示装置３は、図２１（Ａ）に示したように、第１実施形態におけるケース１１０と同様のケース１１０を備えている。内部構造に関しても、このケース１１０は、第１実施形態の場合と変わらない。ただし、このケース１１０には、第１実施形態のケース１１０が備えていた穴１３０と、弾性片１４０がない。その代わりに、穴１３０があった位置に吸盤１６０が設けられている。吸盤１６０は、柔軟性のある素材、例えばゴムでできている。
吸盤１６０は、図２１（Ｂ）に示したようにしてケース１１０に取付けられている。吸盤１６０は、ケース１１０の背面に取付けられた互いに直交する第１軸体１７１及び第２軸体１７２を介してケース１１０に固定されている。第１軸体１７１は、その両端を受ける軸受け１７３によりケース１１０に取付けられており、且つその軸の中心軸周りに回転できるようになっている。他方、第２軸体１７２は、第１軸体１７１にその基端が固定されており、第１軸体１７１の上述の回転にしたがって第１軸体１７１を中心として回転できるようになっている。他方、吸盤１６０の裏側には、吸盤１６０と一体的に成形された２つの把持体１４１が設けられている。２つの把持体１４１は、第２軸体１７２に、第１軸体１７１を挟むような位置関係で取付けられる。把持体１４１には、切欠から第２軸体１７２をその内部に入れることのできる孔が開けられており、第２軸体１７２を切欠からその孔の中に押込むことで、第２軸体１７２に取付けられるのである。
この画像表示装置３は、吸盤１６０を眼鏡レンズＧＬに吸着させることで、眼鏡レンズＧＬに着脱自在に固定できる。
このような状態でケース１１０に取付けられた吸盤１６０は、ケース１１０に対して、第１軸体１７１と、第２軸体１７２を回転の軸として揺動させることができるようになっている。この実施形態では、第１軸体１７１は、ケース１１０の長手方向に沿うように、第２軸体１７２はそれに垂直になるようにされている。眼鏡レンズＧＬに取付けられた画像表示装置１００は、上下方向及び左右方向に揺動できるようになっている。
【００４６】
この実施形態における画像表示装置３の使用方法について説明する。
この実施形態における画像表示装置３は、使用にあたり、吸盤１６０を眼鏡レンズＧＬに押付けることで、眼鏡レンズＧＬに固定される。この状態で拡大レンズ１１４の位置調整、ケーブルＣの眼鏡Ｇのつるへの固定、画像表示装置３の角度調整などを行ってもよい。
以上の作業を、左右両目用の眼鏡レンズＧＬの双方について行う。
【００４７】
以上の準備を行った後、画像表示装置３による画像の表示を行う。
具体的には、ケーブルＣに接続された物（例えば、ＤＶＤプレイヤなど）の電源を入れ、必要な操作を行う。これにより、使用者は、第１実施形態の場合と同様の画像を見ることができる。
画像を見る必要がなくなったら、眼鏡レンズＧＬから画像表示装置本体１００を取外す。
【００４８】
なお、第３実施形態の画像表示装置３は、眼鏡レンズＧＬの片側だけに取付けてもよいし、両側に取付けてもよい。後者であれば、第１実施形態の場合のような状態で、前者であれば第１実施形態の変形例７又は８のような状態で画像を見られることになる。
前者の場合であれば、画像表示装置３が取付けられない側の眼鏡レンズＧＬには、第１実施形態の変形例７及び８で説明したような遮蔽体３００、３０１を取付けることができる。
【００４９】
≪第４実施形態≫
第４実施形態による画像表示装置４は、図２２に示したようなものである。この画像表示装置４は、第３実施形態の画像表示装置３とかなりの部分でその構成を同一にする。
【００５０】
第３実施形態にかかる画像表示装置３は、ケース１１０の背面に吸盤１６０を備えていた。この実施形態における画像表示装置４は、吸盤１６０を備えるものの、その取付け位置が第３実施形態の場合と異なる。この実施形態における吸盤１６０は、鏡筒１２０の先端付近に設けられている。吸盤１６０は、ゴムなどの柔軟性のある素材でできており、椀状でありその内側部分（この実施形態では、中央部分）に、吸盤１６０と同心となる孔が穿設されている。その孔に鏡筒１２０を挿入した状態で、吸盤１６０は鏡筒１２０に固定されている。吸盤１６０の孔の内側と、鏡筒１２０の外周面とは、気密に固定されている。
この画像表示装置４は、吸盤１６０を眼鏡レンズＧＬに吸着させることで、眼鏡レンズＧＬに着脱自在に固定できる。なお、吸盤１６０の取付け位置及びその内側の椀状とされた部分の深さは、眼鏡レンズＧＬに画像表示装置４を固定した場合に、鏡筒１２０の先端が眼鏡レンズＧＬに当接しないようにされている。
【００５１】
この実施形態における画像表示装置４の使用方法は、画像表示装置３の使用方法と同様である。
なお、画像表示装置４は、画像表示装置３と同様に、眼鏡レンズＧＬの片側だけに取付けてもよいし、両側に取付けてもよい。前者の場合において画像表示装置４が取付けられない側の眼鏡レンズＧＬに第１実施形態の変形例７及び８で説明したような遮蔽体３００、３０１を取付けることができる点も第３実施形態と同様である。
【００５２】
≪第５実施形態≫
第５実施形態による画像表示装置５は、図２３に示したようなものである。この画像表示装置５は、第３実施形態の画像表示装置３とかなりの部分でその構成を同一にする。
【００５３】
第３実施形態にかかる画像表示装置３は、ケース１１０の背面に吸盤１６０を備えていた。この実施形態における画像表示装置５は、吸盤１６０を備えるものの、その取付け位置が第３実施形態の場合と異なる。この実施形態における吸盤１６０は、鏡筒１２０の先端付近に設けられている。なお、この実施形態における鏡筒１２０は、その外側面の形状が、図２３に示したように、その中央部分が膨らんだ樽状の形状となっている。
吸盤１６０は、ゴムなどの柔軟性のある素材でできており、椀状であり、その中央付近に吸盤１６０と同心となる孔が穿設されている。また、この吸盤１６０の孔の内側には、透明な窓部材１６１が嵌め込まれている。この窓部材１６１は、この実施形態では、樹脂製であり、その外周部分が孔の内側部分と気密になるようにして、孔の内側に固定されている。吸盤１６０は、その窓部材１６１の近辺で、固定部１６２と固定的に接続されている。この固定部１６２は、その内側面が、鏡筒１２０の外周面の先端付近の形状に対応するようにされている。なお、この実施形態における固定部１６２は、吸盤１６０と一体的に形成されている。なお、固定部１６２は、吸盤１６０よりも肉厚に形成されている。
固定部１６２の内側に、図２３に示したようにして鏡筒１２０を嵌め込むことにより、固定部１６２及びそれと一体とされた吸盤１６０は、鏡筒１２０に固定される。
この画像表示装置５は、吸盤１６０を眼鏡レンズＧＬに吸着させることで、眼鏡レンズＧＬに着脱自在に固定できる。なお、吸盤１６０の取付け位置及びその内側の椀状の部分の深さは、眼鏡レンズＧＬに画像表示装置５を固定した場合に窓部材１６１が眼鏡レンズＧＬに当接しないようにされている。
なお、この画像表示装置５は、鏡筒１２０に対して固定部１６２を摺動させることで、鏡筒１２０に対する、別の言い方をすれば、鏡筒１２０内にあるレンズの光軸に対する角度を２０°程度の範囲で変化させることができる。これにより、この画像表示装置５は、眼鏡レンズＧＬに取付けた状態で、例えば上下方向、左右方向に揺動させられるようになる。
【００５４】
この実施形態における画像表示装置５の使用方法は、画像表示装置３の使用方法と同様である。必要に応じて、画像表示装置５を鏡筒１２０に対して揺動させることにより、使用者は画像を見易い角度に画像表示装置５を移動させることができる。
なお、画像表示装置５は、画像表示装置３と同様に、眼鏡レンズＧＬの片側だけに取付けてもよいし、両側に取付けてもよい。前者の場合において画像表示装置５が取付けられない側の眼鏡レンズＧＬに第１実施形態の変形例７及び８で説明したような遮蔽体３００、３０１を取付けることができる点も第３実施形態と同様である。
【００５５】
≪第６実施形態≫
第６実施形態による画像表示装置６は、図２４に示したようなものである。この画像表示装置６は、第３実施形態の画像表示装置３とかなりの部分でその構成を同一にする。
第３実施形態にかかる画像表示装置３は、ケース１１０の背面に吸盤１６０を備えていた。この実施形態における画像表示装置６は、吸盤１６０を備えるものの、その取付け位置が第３実施形態の場合と異なる。この実施形態における吸盤１６０は、鏡筒１２０の先端付近に設けられている。なお、この実施形態における鏡筒１２０の先端付近の外側の鏡筒１２０の中心軸を挟んで対称となる位置には、この実施形態では細い円筒形とされたピン１２１が鏡筒１２０の外周面に対して垂直となるようにして設けられている。
吸盤１６０は、ゴムなどの柔軟性のある素材でできており、椀状であり、その中央付近に吸盤１６０と同心となる円い孔が穿設されている。また、この吸盤１６０の孔の内側には、透明な窓部材１６１が嵌め込まれている。この窓部材１６１は、この実施形態では、樹脂製であり、その外周部分が孔の内側部分と気密になるようにして、孔の内側に固定されている。吸盤１６０は、その窓部材１６１の近辺で、固定部材１６３と固定的に接続されている。この固定部材１６３は、その内側面が、鏡筒１２０の外周面の先端付近の形状に対応するようにされたリング状の部材である。この実施形態における固定部材１６３の内側面における吸盤１６０の中心軸を挟んで対称となる位置には、この実施形態では細い円筒形とされたピン１６４が設けられている。このピン１６４は、固定部材１６３の内側面に対して垂直になっている。
吸盤１６０と、鏡筒１２０は、リング状に形成されたリング部材１６５によって接続される。リング部材１６５は、鏡筒１２０の先端部分の外径よりもその内径が若干大きく、且つ固定部材１６３の内径よりもその外径が若干小さくなるようにされている。また、リング部材１６５には、その中心を対称の中心として互いに対称となる４つの位置に孔１６６が穿設されている。４つの孔１６６のうち、上記中心を対称として反対側に存在する２つの孔１６６Ａは、鏡筒１２０に設けられたピン１２１をその孔１６６Ａに導くための切欠１６６Ｘを備えている。また、他の２つの孔１６６Ｂは、固定部材１６３に設けられたピン１６４をその孔１６６Ｂに導くための切欠１６６Ｙであり、切欠１６６Ｘとは反対の方向に延びるものを備えている。切欠１６６Ｘ内を摺動させて２つのピン１２１を２つの孔１６６Ａ内にそれぞれ嵌め込むとともに、切欠１６６Ｙ内を摺動させて２つの孔１６６Ｂ内に２つのピン１６４をそれぞれ嵌め込むことによって、吸盤１６０と、鏡筒１２０は、リング部材１６５を介して接続されることになる。このようにして鏡筒１２０に取付けられた吸盤１６０は、鏡筒１２０に対して２つの軸（２つのピン１２１を仮想的に繋いでできる軸、２つのピン１６４を仮想的に繋いでできる軸）の周りに揺動できる。
この画像表示装置６は、吸盤１６０を眼鏡レンズＧＬに吸着させることで、眼鏡レンズＧＬに着脱自在に固定できる。なお、吸盤１６０の取付け位置及びその内側の椀状の部分の深さは、眼鏡レンズＧＬに画像表示装置６を固定した場合に窓部材１６１が眼鏡レンズＧＬに当接しないようにされている。
この実施形態における上述した２つの軸は、眼鏡レンズＧＬに画像表示装置６を取付けた場合の上下方向と左右方向にほぼ沿うものとなっているので、この実施形態における画像表示装置６は眼鏡レンズＧＬに取付けた状態で、ほぼ左右方向と上下方向に揺動するようになっている。使用者は、自分が画像を見易くなる角度に画像表示装置６を調節することができる。
【００５６】
この実施形態における画像表示装置６の使用方法は、画像表示装置３の使用方法と同様である。
画像表示装置６は、画像表示装置３と同様に、眼鏡レンズＧＬの片側だけに取付けてもよいし、両側に取付けてもよい。前者の場合において画像表示装置６が取付けられない側の眼鏡レンズＧＬに第１実施形態の変形例７及び８で説明したような遮蔽体３００、３０１を取付けることができる点も第３実施形態と同様である。
なお、画像表示装置６における吸盤１６０は、図２５に示したように変形することができる。この吸盤１６０は、２つであり、その頂点部分に接続された棒状の脚１６７の先端に上述したピン１６４と同様に形成されたピン１６８のほぼ中心を接続してなる。この吸盤１６０は、２そのピン１６８を切欠１６６Ｙ内を摺動させて孔１６６Ｂ内に嵌め込むことによって、リング部材１６５に取付けられる。この変形例による画像表示装置６も、眼鏡レンズＧＬに取付けた状態で、ほぼ左右方向と上下方向に揺動させられる。
【図面の簡単な説明】
【００５７】
【図１】第１実施形態の画像表示装置の全体を上前方から見たところを示す斜視図。
【図２】図１に示した画像表示装置本体を上側から見たところを示す透視図。
【図３】図１に示した画像表示装置本体を示す分解図。
【図４】図１に示した中間部材を示す斜視図。
【図５】図１に示した画像表示装置の使用状態を示す側面図。
【図６】図１に示した画像表示装置を使用しているときに、使用者の目に見えるものを概念的に示す図。
【図７】変形例２の画像表示装置の中間部材を示す側面図。
【図８】変形例２の画像表示装置の使用状態を示す側面図。
【図９】変形例２の画像表示装置の中間部材の他の例を示す斜視図。
【図１０】変形例３の画像表示装置の中間部材を示す側面図。
【図１１】変形例４の画像表示装置の画像表示装置本体と中間部材を示す斜視図。
【図１２】変形例４の画像表示装置の使用状態を示す側面図。
【図１３（Ａ）】変形例５の画像表示装置の画像表示装置本体と中間部材を示す斜視図。
【図１３（Ｂ）】変形例５の画像表示装置の使用状態を示す側面図。
【図１４】変形例６の画像表示装置の使用状態を示す側面図。
【図１５】変形例７の画像表示装置の全体を上前方から見たところを示す斜視図。
【図１６】変形例７の画像表示装置の取付けられた眼鏡を上前方から見たところを示す斜視図。
【図１７】分図（Ａ）は、図１５に示した画像表示装置を使用しているときに、画像表示装置本体がその前にある側の使用者の目に見えるものを概念的に示す図、分図（Ｂ）は、同画像表示装置を使用しているときに、画像表示装置がない側の使用者の目に見えるものを概念的に示す図、分図（Ｃ）は、同画像表示装置を使用しているときに、使用者が認識できるものを概念的に示す図。
【図１８】変形例８の画像表示装置の遮蔽体を示す斜視図。
【図１９】第２実施形態の画像表示装置の全体を上前方から見たところを示す斜視図。
【図２０】図１９に示した画像表示装置の使用状態を示す透視図。
【図２１（Ａ）】第３実施形態の画像表示装置の全体を上前方から見たところを示す斜視図。
【図２１（Ｂ）】図２１（Ａ）に示した画像表示装置における吸盤の取付け方を示す斜視図。
【図２２】第４実施形態の画像表示装置の全体を上前方から見たところを示す斜視図。
【図２３】第５実施形態の画像表示装置の構成を概略的に示す平断面図。
【図２４】第６実施形態の画像表示装置の全体を上前方から見たところを示す斜視図。
【図２５】第６実施形態の画像表示装置の変形例を上前方から見たところを示す斜視図。
【符号の説明】
【００５８】
１、２、３、４  画像表示装置
１００  画像表示装置本体
２００  中間部材
１６０  吸盤
３００  遮蔽体
【図１】
2006054618.tif 000003
【図２】
2006054618.tif 000004
【図３】
2006054618.tif 000005
【図４】
2006054618.tif 000006
【図５】
2006054618.tif 000007
【図６】
2006054618.tif 000008
【図７】
2006054618.tif 000009
【図８】
2006054618.tif 000010
【図９】
2006054618.tif 000011
【図１０】
2006054618.tif 000012
【図１１】
2006054618.tif 000013
【図１２】
2006054618.tif 000014
【図１３（Ａ）】
2006054618.tif 000015
【図１３（Ｂ）】
2006054618.tif 000016
【図１４】
2006054618.tif 000017
【図１５】
2006054618.tif 000018
【図１６】
2006054618.tif 000019
【図１７】
2006054618.tif 000020
【図１８】
2006054618.tif 000021
【図１９】
2006054618.tif 000022
【図２０】
2006054618.tif 000023
【図２１（Ａ）】
2006054618.tif 000024
【図２１（Ｂ）】
2006054618.tif 000025
【図２２】
2006054618.tif 000026
【図２３】
2006054618.tif 000027
【図２４】
2006054618.tif 000028
【図２５】
2006054618.tif 000029